(57)【要約】【課題】使用者が足裏高さを変えることができる足置台を備え、足置台がしっかりと固定されたトイレ設備を提供する。【解決手段】洋風便器２を取り巻いて足置台３が設置されている。足置台３はＵ字形であり、洋風便器２の下側に張り出す延出片１１を有する。この延出片１１の上側に洋風便器２を載設することにより足置台３を固定する。足置台３の前部は、床面Ｆから段差なく連続的に立ち上がる斜面３ａとなっている。斜面３ａ上の足裏位置を変えることにより足裏高さを変えることができる。足置台３の上面の全体が斜面とされてもよい。【選択図】図１
2007330460.tif 000002
【特許請求の範囲】
【請求項１】
洋風便器と、該洋風便器に着座した使用者が足裏を載せる足置台とを備えたトイレ設備において、
該足置台の少なくとも前部が床面から斜めに立ち上がる斜面となっていることを特徴とするトイレ設備。
【請求項２】
床面上に設置された洋風便器と、該洋風便器に着座した使用者が足裏を載せる足置台とを備えたトイレ設備において、
該足置台に、床面に沿って延在する延出片が設けられており、該延出片が洋風便器と床面との間に挟まれることにより該足置台が固定されていることを特徴とするトイレ設備。
【請求項３】
床面に対しボルトを介して固定された洋風便器と、該洋風便器に着座した使用者が足裏を載せる足置台とを備えたトイレ設備において、
該足置台が該ボルトに対して固定されていることを特徴とするトイレ設備。
【請求項４】
請求項３において、該足置台にボルト挿通部を有した突片が設けられ、該ボルト挿通部に前記ボルトを挿通させ、ナット締めすることにより該足置台が固定されていることを特徴とするトイレ設備。
【請求項５】
請求項２ないし４のいずれか１項において、該足置台の少なくとも前部が床面から斜めに立ち上がる斜面となっていることを特徴とするトイレ設備。
【発明の詳細な説明】
【技術分野】
【０００１】
本発明は、洋風便器と、該洋風便器に着座した使用者が足裏を載せる足置台とを備えたトイレ設備に関する。
【背景技術】
【０００２】
洋風便器に着座した使用者が足裏を載せる洋風便器とは別体の足置台を備えたトイレ設備が実開昭６４−３５９９７号の第５図と特開２０００−１０４３２１号の図３〜７とに記載されている。この足置台に足裏を載せると、使用者が腹圧を高めて排便を促進することができる。
【特許文献１】実開昭６４−３５９９７号公報
【特許文献２】特開２０００−１０４３２１号公報
【発明の開示】
【発明が解決しようとする課題】
【０００３】
ｉ）  上記特許文献１及び特許文献２に記載の足置台は、いずれも水平な上面を有した台状のものであるが、かかる形状の足置台の場合、足裏の床面からの高さが足置台の高さに一義的に定まってしまうため、足裏の高さが必ずしも使用者の体格にマッチしない場合がある。また、足置台と床面との間に直立した段差がある。
【０００４】
本発明は、使用者が足裏高さを所望通りに変えることができると共に、足置台の少なくとも前部と床面との間の直立した段差を解消できる足置台を備えた足置台を提供することを目的とする。
【０００５】
ii）  上記特許文献１及び特許文献２には、足置台を固定するための具体的な構造についての記載がない。
【０００６】
本発明は、足置台が床面にしっかりと固定された足置台を提供することを別の目的とする。
【課題を解決するための手段】
【０００７】
第１発明（請求項１）の足置台は、洋風便器と、該洋風便器に着座した使用者が足裏を載せる足置台とを備えたトイレ設備において、該足置台の少なくとも前部が床面から斜めに立ち上がる斜面となっていることを特徴とするものである。
【０００８】
第２発明（請求項２）の足置台は、床面上に設置された洋風便器と、該洋風便器に着座した使用者が足裏を載せる足置台とを備えたトイレ設備において、該足置台に、床面に沿って延在する延出片が設けられており、該延出片が洋風便器と床面との間に挟まれることにより該足置台が固定されていることを特徴とするものである。
【０００９】
第３発明（請求項３）の足置台は、床面に対しボルトを介して固定された洋風便器と、該洋風便器に着座した使用者が足裏を載せる足置台とを備えたトイレ設備において、該足置台が該ボルトに対して固定されていることを特徴とするものである。
【００１０】
この第３発明にあっては、該足置台にボルト挿通部を有した突片が設けられ、該ボルト挿通部に前記ボルトを挿通させ、ナット締めすることにより該足置台が固定されていることが好ましい。
【００１１】
また、第２，３発明において、足置台の少なくとも前部が床面から斜めに立ち上がる斜面となっていることが好ましい。
【発明の効果】
【００１２】
第１発明の足置台にあっては、洋風便器に着座した使用者が足裏を足置台に載せることにより、膝を高くすることができ、腹圧を高めることができる。この足置台にあっては、足置台の少なくとも前部が床面から斜めに立ち上がる斜面となっているので、斜面に載せる足裏位置を変えることにより、膝高さを変えることができる。また、足置台の少なくとも前部と床面との間の直立した段差が解消される。そのため、足を床面から足置台上に楽に移すことができる。
【００１３】
第２発明の足置台にあっては、足置台に設けられた延出片が洋風便器と床面との間に挟まれることにより足置台がしっかりと固定されている。
【００１４】
第３発明の足置台にあっては、洋風便器を床面に固定しているボルトに対して足置台が固定されている。足置台を床面に留め付けるためのビス、アンカー、ボルト等を床面に打ち込むことで、足置台が床面にしっかりと固定される。
【００１５】
この第３発明において、該足置台にボルト挿通部を有した突片が設けられ、該ボルト挿通部に前記ボルトを挿通させ、ナット締めすることにより該足置台が固定されている構成とした場合には、足置台が強固に固定される。
【００１６】
なお、第２ないし第３発明においても、足置台の少なくとも前部を床面から立ち上がる斜面としてもよい。
【発明を実施するための最良の形態】
【００１７】
以下、図面を参照して実施の形態について説明する。
【００１８】
第１図は実施の形態に係る足置台を示す分解斜視図、第２図は足置台組み付け後の斜視図である。
【００１９】
トイレルームの床面Ｆに排水管１の上端が露呈している。この排水管１付近の上側に洋風便器２が設置され、この洋風便器を取り囲むように足置台３が設置されている。この実施の形態では、洋風便器２の排水口（図示略）は排水ソケット４を介して排水管に接続される。
【００２０】
この排水ソケット４には、洋風便器２の排水口に下側から外嵌すると共に、排水管１に上方から内嵌する筒状部４ａが設けられている。筒状部４ａの周囲にフランジ部４ｂが設けられている。このフランジ部４ｂにボルト挿通孔４ｃが設けられている。
【００２１】
洋風便器２のボルト挿通孔８に挿通されたボルト５がこのボルト挿通孔４ｃに挿通され、パッキン６を介してナット７を締め込むことにより洋風便器２が床面Ｆに固定される。第２図の符号１０は、このボルト５に冠着された化粧キャップを示す。
【００２２】
また、この排水ソケット４は、該筒状部４ａと一体的に形成され、筒状部４ａから前方に延出するブラケット部４ｄを有する。このブラケット部４ｄの前端は起立部４ｅとなっており、この起立部４ｅが洋風便器２の前端部の内面に対面する。洋風便器２の前端面のボルト挿通孔２ａに前方からボルト９を通し、このボルト９を起立部４ｅの雌ねじ孔４ｆにねじ込むことにより、洋風便器２の前部が排水ソケット４を介して床面Ｆに固定される。
【００２３】
この実施の形態では、足置台３は洋風便器２の前部及び左右両サイドに沿う略Ｕ字形状のものである。この足置台３には、Ｕ字の内方へ張り出す薄板状の延出片１１が設けられている。洋風便器２の据え付け時にこの延出片１１の上に洋風便器２を載置することにより、足置台３が固定される。なお、延出片１１には排水ソケット４が嵌まる大きさの開口部１２が設けられている。
【００２４】
この足置台３は、その前部の上面が後方に向って徐々に高くなる斜面３ａとなっている。なお、この斜面の平均傾斜度は１５〜６０°程度が好ましい。この斜面３ａは、足置台３の前端において足置台３の裏面と交わっており、斜面３ａは床面Ｆから連続して立ち上がるようになっている。なお、斜面３ａは、平面からなってもよく、少なくとも一部が上に向って凸又は凹となる曲面であってもよい。斜面３ａは、その少なくとも一部が凹凸面や粗面であってもよい。
【００２５】
このように構成された第１，２図のトイレ設備にあっては、洋風便器２に座って用を足す使用者が、その足裏を足置台３の上に載せることにより、腹圧を高め、排便を促進することができる。また、足を床面Ｆから足置台３に楽に動かすことができる。足置台３上の足を床面Ｆに動かすのも楽である。
【００２６】
この実施の形態では、足置台３の前部上面が後方ほど高位となる斜面３ａとなっているので、足置台３の後部に足裏を載せるほど、膝が高くなり、それだけ腹圧を高めることができる。また、使用者が自分の下脚長さにあわせて所望の位置に足裏を載せて膝高さを調節することもできる。
【００２７】
この実施の形態では、足置台３を洋風便器２の据え付けを利用して床面Ｆに固定することができる。そして、足置台のみを床面Ｆに固定する専用のビス、ボルト等が不要であり、床面Ｆを徒に傷つけることもない。
【００２８】
第３図は第２の実施の形態に係るトイレ設備の分解斜視図である。
【００２９】
この実施の形態では、足置台３に設けられた延出片２０は、足置台３を横断する帯状のものであり、前記排水ソケット４のブラケット部４ｄを跨ぐように配置される。この延出片２０は、ブラケット部４ｄと重なる部位が上方に突出したコ字形状部２１となっている。このコ字形状部２１に複数の小孔２２が設けられている。
【００３０】
ブラケット部４ｄには、各小孔２２と同軸状に小孔２３が設けられている。小孔２２，２３を通して床面Ｆにビス打ちすることにより足置台３と排水ソケット４が床面Ｆに固定される。
【００３１】
この実施の形態でも、この延出片２０に上側から洋風便器２を載せる。これにより、足置台３がきわめてしっかりと床面Ｆに固定される。なお、洋風便器２の左右の下縁には延出片２０と係合する切欠状部２４が設けられている。足置台３は、第１，２図の場合と同じく前部が斜面３ａとなっている。
【００３２】
この実施の形態その他の構成は第１，２図と同様であり、同一部分を示している。この実施の形態でも、第１，２図のトイレ設備と同様の作用効果が奏される。
【００３３】
第４図は第３の実施の形態を示す分解斜視図、第５図は足置台据え付け後の斜視図である。
【００３４】
この実施の形態で用いられている足置台３０は、Ｕ字形状であり、その前部が床面Ｆから後方へ立ち上がる斜面３１となっている。この足置台３０の対向する１対の内壁面３０ａにそれぞれピン３２が突設されている。この実施の形態では、各内壁面３０ａにピン３２が２本ずつ設けられているが、１本又は３本以上であってもよい。
【００３５】
この足置台３０は足置台取付ブラケット３５を介して洋風便器固定用ボルト５によって固定される。このブラケット３５は、該内壁面３０ａに沿う垂下片３５ａと、該垂下片３５ａの上端に連なり、洋風便器２のボルト挿通孔８の上側へ張り出す張出片３５ｂとを有する。垂下片３５ａには、下縁から上方に切り込まれた２個のスリット３６が設けられている。張出片３５ｂには２個のボルト挿通用小孔３７が設けられている。
【００３６】
この実施の形態では、洋風便器２にはボルト挿通孔８が左右にそれぞれ２個ずつ設けられている。ピン３２，３２、スリット３６，３６、小孔３７，３７は、それぞれこのボルト挿通孔８，８の間隔と等間隔に設けられている。
【００３７】
足置台３０を設置するには、該足置台３０を洋風便器２に嵌合させるように床面上に置く。ボルト５を外した状態にてブラケット３５の垂下片３５ａを洋風便器２の側面と足置台３０の内壁面３０ａに差し込み、この際、スリット３６，３６内にピン３２，３２を導入する。次いで張出片３５ｂの小孔３７及び洋風便器２のボルト挿通孔８にボルト５を通し、ナット７を締め込む。
【００３８】
この実施の形態においても、足置台３０は該ボルト５を介してしっかりと固定される。また、足置台３０の前部が床面Ｆから後方に向って立ち上がる斜面３１となっており、着座者はその膝高さを自在に調節できる。
【００３９】
なお、第４，５図の足置台３０はＵ字形の一体物であるが、第６図の足置台３０Ａのように、左側足置台３０Ｌと右側足置台３０Ｒとの２体よりなるものであってもよい。
【００４０】
また、上記実施の形態では、足置台３，３０の斜面３ａ，３１は前方から後方に向ってのみ立ち上がるようになっているが、第７図の足置台３０Ｂのように外周縁から洋風便器に向って上り勾配となるようにしてもよい。
【００４１】
なお、第７図は第４，５図の足置台３０に改変を加えて外周縁全体から洋風便器２に向って上り勾配としたものであるが、他の足置台においても同様に外周縁全体から洋風便器２に向って上り勾配としてもよいことは明らかである。
【００４２】
第８図は、第６図の左側足置台３０Ｌにおいて外周縁全体から洋風便器２に向って上り勾配とした左側足置台３０Ｌ’の斜視図である。
【００４３】
第４，５図〜第８図ではＬ形の足置台取付ブラケット３５を用いているが、第９図のように平板上のブラケット４０を用いてもよい。このブラケット４０には、合計４個の小孔４１が設けられ、そのうちの２個の小孔４１を通してビス４２を足置台３０Ｌ，３０Ｒに打ち込んでいる。ブラケット４０を予め足置台に取り付けておくところから、足置台としては左右２体に分れた足置台３０Ｌ，３０Ｒが採用されている。
【００４４】
平板状ブラケット４０の代わりに、第１０図に示す蝶番型ブラケット５０を用いてもよい。この蝶番型ブラケット５０は、固定部５１と可動部５２とがヒンジ５３を介して連結されたものである。固定部５１がビス５４で足置台３０Ｌ（又は３０Ｒ）に取り付けられ、可動部５２の小孔５５に洋風便器固定用ボルト５（第１０図では図示略）が挿通される。
【００４５】
第１０図では足置台は左右２体型のものが用いられているが、可動部５２を立てておくことができるので、第１１図のようにＵ字形足置台３０にブラケット５０，５０を予め取り付けておき、洋風便器２のボルト５によって該足置台３０を固定することも可能である。
【００４６】
第１２図は、さらに他の実施の形態を示す分解斜視図である。
【００４７】
この実施の形態では、洋風便器２の前端面の下部に下向きコ字形状のブラケット６０が取り付けられ、このブラケット６０を介して足置台７０が洋風便器２に固定されている。なお、足置台７０は、前部上面が床面から立ち上がる斜面となっている。
【００４８】
上記ブラケット６０は、洋風便器２の前端面に沿う第１垂下片６１と、該第１垂下片６１に対峙する第２垂下片６２と、これら垂下片６１，６２の上端同士を連結する頂板部６３とを有した下向きコ字形状である。第１垂下片６１には、洋風便器２の前端部のボルト挿通孔２ａ同軸上に配置される小孔６４が設けられている。第２垂下片６２には、下端縁から上方に切り込まれた形状のスリット６５が設けられている。
【００４９】
この小孔６４及びボルト挿通孔２ａを通してボルト８を図示しない排水ソケット４の起立部４ｅの雌ねじ孔４ｆにねじ込むことにより、ブラケット６０が洋風便器２に固定される。なお、この排水ソケット４の構成は前記第１図の通りである。
【００５０】
足置台７０はＵ字形状であり、その内壁面の前部にはピン７１が取り付けられている。このピン７１は、基端側の細軸部７１ａと、先端の大経部７１ｂとを有しており、この細軸部７１がスリット６５に挿通され大経部７１ｂが第２片６２のスリット６５の縁部に係止され、これによって足置台７０がブラケット６０、ボルト９及び洋風便器２を介して床面に固定される。
【００５１】
上記実施の形態では各足置台は洋風便器２の左右両サイドを洋風便器２の後部にまで延在しているが、第１３図の足置台８０のように、洋風便器の左右両サイドの途中まで配設されるものであってもよい。この足置台８０も少なくとも前部が床面Ｆから立ち上がる斜面となっている。
【００５２】
上記実施の形態はいずれも本発明の一例であり、本発明は図示以外の形態をもとりうる。例えば、足置台の上面の全体が後方に向って上り勾配となる斜面とされてもよい。
【図面の簡単な説明】
【００５３】
【図１】実施の形態に係る足置台を示す分解斜視図である。
【図２】実施の形態に係る足置台を示す斜視図である。
【図３】実施の形態に係る足置台を示す分解斜視図である。
【図４】実施の形態に係る足置台を示す分解斜視図である。
【図５】実施の形態に係る足置台を示す斜視図である。
【図６】足置台を示す斜視図である。
【図７】実施の形態に係る足置台を示す斜視図である。
【図８】足置台を示す斜視図である。
【図９】実施の形態に係る足置台を示す斜視図である。
【図１０】足置台の斜視図である。
【図１１】足置台の斜視図である。
【図１２】実施の形態に係る足置台の分解斜視図である。
【図１３】実施の形態に係る足置台の斜視図である。
【符号の説明】
【００５４】
２  洋風便器
３，３０，３０Ａ，３０Ｂ，３０Ｌ，３０Ｌ’，３０Ｒ，７０，８０  足置台
３ａ  斜面
４  排水ソケット
１１，２０  延出片
３５，４０，５０  ブラケット
【図１】
2007330460.tif 000003
【図２】
2007330460.tif 000004
【図３】
2007330460.tif 000005
【図４】
2007330460.tif 000006
【図５】
2007330460.tif 000007
【図６】
2007330460.tif 000008
【図７】
2007330460.tif 000009
【図８】
2007330460.tif 000010
【図９】
2007330460.tif 000011
【図１０】
2007330460.tif 000012
【図１１】
2007330460.tif 000013
【図１２】
2007330460.tif 000014
【図１３】
2007330460.tif 000015